(57)【要約】【課題】簡単な構成で撮影時に指定した位置に応じて被写界像を再生することができる、電子カメラや被写界像再生装置を提供すること。【解決手段】被写界を捉える撮像面を有し、被写界像を生成する撮像手段、撮像手段によって生成される被写界像内の特定位置を指定する指定手段、撮像手段によって生成された被写界像を、指定手段によって指定された特定位置の位置情報と共に記録する記録手段、および記録手段によって記録された被写界像を記録手段によって記録された位置情報を用いて再生を行う再生手段を具える、電子カメラである。【選択図】図１
2009044463.tif 000002
【特許請求の範囲】
【請求項１】
被写界を捉える撮像面を有し、被写界像を生成する撮像手段、
前記撮像手段によって生成される被写界像内の特定位置を指定する指定手段、
前記撮像手段によって生成された被写界像を、前記指定手段によって指定された特定位置の位置情報と共に記録する記録手段、および
前記記録手段によって記録された被写界像を前記記録手段によって記録された位置情報を用いて再生を行う再生手段を具える、電子カメラ。
【請求項２】
前記撮像手段によって生成された被写界像に含まれる特徴画像を探索する探索手段をさらに具え、前記指定手段は前記探索手段によって検知された特徴画像の位置に基づいて特定位置を指定することを特徴とする請求項１記載の電子カメラ。
【請求項３】
前記指定手段によって指定された特定位置の被写界像に基づいて前記撮像手段の撮影条件を調整する調整手段をさらに具え、前記記録手段は前記調整手段によって調整された撮像条件で作成された被写界像を記録することを特徴とする請求項１記載の電子カメラ。
【請求項４】
前記撮影条件は前記撮像手段の焦点距離であることを特徴とする請求項３記載の電子カメラ。
【請求項５】
前記再生手段は、前記記録手段によって記録された位置情報を用いて特定される位置を中心に被写界像を拡大再生することを特徴とする請求項１記載の電子カメラ。
【請求項６】
被写界像内の特定位置を示す位置情報と当該被写界像と共に記録された記録媒体から前記被写界像を再生する被写界像再生装置であって、前記被写界像を前記位置情報を用いて再生を行う再生手段を具える、被写界像再生装置。
【請求項７】
前記再生手段は、前記位置情報を用いて特定される位置を中心に被写界像を拡大再生することを特徴とする請求項６記載の被写界像再生装置。
【発明の詳細な説明】
【技術分野】
【０００１】
この発明は、電子カメラ及び被写界像再生装置に関し、特にたとえば被写界像内の特定位置に注目して再生する、電子カメラ及び被写界像再生装置に関する。
【背景技術】
【０００２】
電子カメラであるデジタルスチルカメラを用いて撮影して得られた画像データを再生する際、当該画像データによって表される被写体像に含まれる顔画像を検出し、検出された顔画像を拡大し表示する画像再生装置が特許文献１に開示されている。
【特許文献１】特開２００５−３１８５１５号公報  特許文献１では、撮影時に注目したであろう顔画像を、他の部分よりも優先して拡大し表示することによって、顔画像部分のピントがあっているかどうかの確認を容易にしている。
【発明の開示】
【発明が解決しようとする課題】
【０００３】
しかし、特許文献１では、画像データによって表される被写体像に含まれる顔画像を、再生時に検出し拡大表示する部分を決めているため、拡大表示される部分が撮影時に指定した部分、すなわちピントをあわせようとした部分と一致しない可能性がある。また、特許文献１に開示された技術を応用し、撮影時にピントをあわせようとした部分を顔に限ることなく、例えば建物や背景でも可能にする場合、再生時に当該部分を再生装置が検出し拡大表示するようにするには、再生装置が具備する当該部分を検出する検出手段の構成が複雑になるという課題がある。
【０００４】
それゆえに、この発明の主たる目的は、簡単な構成で撮影時に指定した位置に応じて被写界像を再生することができる、電子カメラや被写界像再生装置を提供することである。
【課題を解決するための手段】
【０００５】
第１の発明は、被写界を捉える撮像面を有し、被写界像を生成する撮像手段、撮像手段によって生成される被写界像内の特定位置を指定する指定手段、撮像手段によって生成された被写界像を、指定手段によって指定された特定位置の位置情報と共に記録する記録手段、および記録手段によって記録された被写界像を記録手段によって記録された位置情報を用いて再生を行う再生手段を具える、電子カメラである。
【０００６】
さらに、撮像手段によって生成された被写界像に含まれる特徴画像を探索する探索手段を具え、指定手段は探索手段によって検知された特徴画像の位置に基づいて特定位置を指定することを特徴とする。
【０００７】
さらに、指定手段によって指定された特定位置の被写界像に基づいて前記撮像手段の撮影条件を調整する調整手段を具え、記録手段は調整手段によって調整された撮像条件で作成された被写界像を記録することを特徴とし、撮影条件は撮像手段の焦点距離であることを特徴とする。
【０００８】
さらに、再生手段は、記録手段によって記録された位置情報を用いて特定される位置を中心に被写界像を拡大再生することを特徴とする。
【０００９】
第２の発明は、被写界像内の特定位置を示す位置情報と当該被写界像と共に記録された記録媒体から被写界像を再生する被写界像再生装置であって、被写界像を前記位置情報を用いて再生を行う再生手段を具える、被写界像再生装置である。
【００１０】
さらに、再生手段は、当該位置情報を用いて特定される位置を中心に被写界像を拡大再生することを特徴とする。
【発明の効果】
【００１１】
第１及び第２の発明によれば、撮影時に指定した被写界像内の特定位置が再生時の再生機能に簡単且つ確実に反映される電子カメラや被写界像再生装置を提供することができる。
【００１２】
本願発明の目的、特徴および利点は、図面を参照して行う以下の実施例の詳細な説明から一層明らかとなろう。
【発明を実施するための最良の形態】
【００１３】
図１を参照して、本発明の第１実施例であるディジタルカメラ１０は、光学レンズ１２を含む。被写界の光学像は、光学レンズ１２を通してイメージセンサ１４の撮像面１４ｆに照射され、光電変換を施される。これによって、被写界を表す電荷つまり生画像信号が生成される。
【００１４】
電源が投入されると、ＣＰＵ４２は、スルー画像処理を実行するべく、プリ露光および間引き読み出しの繰り返しをＴＧ／ＳＧ１８に命令する。ＴＧ／ＳＧ１８は、イメージセンサ１４の撮像面１４ｆのプリ露光と、これによって得られた電荷の間引き読み出しとを実行するべく、複数のタイミング信号をイメージセンサ１４に与える。撮像面１４ｆで生成された生画像信号は、１／３０秒に１回の割合で発生する垂直同期信号Ｖｓｙｎｃに応答して、ラスタ走査に従う順序で読み出される。
【００１５】
イメージセンサ１４から出力された生画像信号は、ＣＤＳ／ＡＧＣ／ＡＤ回路１６によって相関二重サンプリング、自動ゲイン調整およびＡ／Ｄ変換の一連の処理を施される。信号処理回路２０は、ＣＤＳ／ＡＧＣ／ＡＤ回路１６から出力された生画像データに白バランス調整，色分離，ＹＵＶ変換などの処理を施し、ＹＵＶ形式の画像データをメモリ制御回路２６を通してＳＤＲＡＭ２８の表示画像領域２８ａに書き込む。
【００１６】
ビデオエンコーダ３０は、表示画像領域２８ａに格納された画像データをメモリ制御回路２６を通して１／３０秒毎に読み出し、読み出された画像データをコンポジットビデオ信号に変換する。この結果、被写界を表すリアルタイム動画像（スルー画像）がＬＣＤモニタ３２に表示される。
【００１７】
ＡＥ／ＡＦ評価回路２４は、信号処理回路２０から出力された画像データに基づいて、被写界の明るさを示す輝度評価値と被写界の合焦度を示すフォーカス評価値とを作成する。作成された輝度評価値およびフォーカス評価値は、ＣＰＵ４２に与えられる。
【００１８】
キー入力装置４６に設けられたシャッタボタン４６Ｓが操作されていないとき、ＣＰＵ４２は、スルー画像用ＡＥ処理とＡＦ処理を実行する。ＴＧ／ＳＧ１８に設定されたプリ露光時間は、ＡＥ／ＡＦ評価回路２４からの輝度評価値に基づいて制御される。これによって、スルー画像の明るさが適度に調整される。ＡＥ／ＡＦ評価回路２４からのフォーカス評価値に基づいたＡＦ処理、所謂画像信号の高周波成分が最大となるように光学レンズ１２を設定する山登りオートフォーカス処理に基づき、光学レンズ１２はドライバ４４によって駆動される。
【００１９】
図２を参照して、表示画像領域２８ａは、縦２４０画素、横３２０画素の画像データからなり、顔検出を行う探索領域として設定される。そして、図３（Ａ）に示す最大サイズの顔判別領域が探索領域の左上に配置される。顔判別領域の左上座標は、探索領域の左上座標と一致する。
【００２０】
顔判別領域に属する部分画像の特徴量は、フラッシュメモリ４８に記憶された辞書の特徴量と照合される。照合処理の結果、注目する部分画像が顔画像と判別されると、現時点の顔判別領域のサイズ、顔判別領域の中心位置および信頼度が記述された顔情報が作成され、ＳＤＲＡＭ２８の顔情報領域２８ｄに格納される。信頼度とは、顔判別領域に属する部分画像の特徴量と、フラッシュメモリ４８に記憶された辞書の特徴量との照合処理において両者が一致する割合を示すのもであり、一致する割合が高いと、顔と判別した信頼度が大きくなる。顔判別領域は、ラスタ方向に既定量（＝１画素）ずつ移動される。顔判別領域は、図４に示す要領で探索領域を移動する。
【００２１】
なお、当該信頼度は、フラッシュメモリ４８に記憶された辞書によって左右されるが、一般的に、正面を向いた顔の方が、斜めや下を向いた顔よりも高い信頼度で顔を検出することができる。
【００２２】
顔判別領域が探索領域の右下に到達すると、つまり顔判別領域の右下座標が探索領域の右下座標と一致すると、図３（Ａ）に示す顔判別領域に代えて図３（Ｂ）に示すミドルサイズの顔判別領域が探索領域の左上に配置され、上述と同様の処理が再度実行される。ミドルサイズの顔判別領域が探索領域の右下に到達すると、図３（Ｃ）に示す最小サイズの顔判別領域が探索領域の左上に配置され、上述と同様の処理が繰り返される。
【００２３】
このように、特徴量の照合処理および顔判別領域の移動処理は、サイズの大きい順に最大サイズ、ミドルサイズ、最小サイズの３つの顔判別領域を順次用いることによって３回実行される。処理の途中で顔画像が発見されると、その時点の顔判別領域の中心の位置、サイズおよび信頼度が記述された顔情報が作成され、顔情報領域２８ｄに格納された顔情報が更新される。
【００２４】
顔情報が得られると、ＣＰＵ４２は、この顔情報によって定義されるキャラクタＣ１のＯＳＤ表示をキャラクタジェネレータ３４に命令する。キャラクタジェネレータ３４は、顔情報に記述されたサイズを有するキャラクタＣ１を顔情報に記述された位置に表示するべく、キャラクタデータをＬＣＤモニタ３２に与える。キャラクタＣ１は、図５に示すように４人の人物Ｐ１、Ｐ２、Ｐ３、Ｐ４が入った被写界像であれば、顔検出の結果、図６に示す要領でスルー画像に多重表示される。
【００２５】
そして、得られた顔情報が１つであれば当該顔が検出された顔の位置に、複数の顔が検出されている場合は、画角中心位置から最も近い顔の位置に、フォーカス評価値を得る領域を設定し、当該設定が行われたことを表示するべく、キャラクタデータをＬＣＤモニタ３２に与える。キャラクタＣ２は、図５に示すように４人の人物Ｐ１、Ｐ２、Ｐ３、Ｐ４が入った被写界像であれば、画角中心位置から最も近い顔の位置は人物Ｐ３の顔の位置となり、図７に示す要領でスルー画像に多重表示される。
【００２６】
シャッタボタン４６Ｓが半押しされると、ＣＰＵ４２は、顔情報の検出結果によって異なる態様でＡＦ処理およびＡＥ処理を実行する。顔情報が検出されなかったとき、ＣＰＵ４２は、撮像面の中央領域を基準としてＡＥ処理およびＡＦ処理を実行する。撮像面の中央領域とは、撮影しようとする被写体が含まれている可能性が高い領域として撮像面の中央に設けられたものであり、詳細な説明は割愛する。これに対して、顔情報が検出されたとき、ＣＰＵ４２は、この顔情報を用いて撮像面上に指定される指定領域を決定し、指定領域を表示するべく、キャラクタデータをＬＣＤモニタ３２に与える。キャラクタＣ３は、図５に示すように４人の人物Ｐ１、Ｐ２、Ｐ３、Ｐ４が写った被写界像であれば、たとえば図８に示す要領で、後述するＡＦ処理によって光学レンズ１２の合焦位置設定が完了した時点でスルー画像に多重表示される。キャラクタＣ３が表示されることによって、使用者はＡＦ処理が完了したことを知ることができる。指定領域は、検出された顔情報が１つであれば顔判別処理において当該顔が検出された時の顔判別領域の位置に、複数の顔が検出されている場合は、顔判別処理において画角中心位置から最も近い顔が検出された時の顔判別領域の位置に設定する。そして、指定領域を重視してＡＥ処理を実行し、指定領域を基準として、すなわち、指定領域から得られる画像信号を用いてＡＦ処理を実行する。ＡＥ処理の結果、ＴＧ／ＳＧ１８に設定された露光時間は最適値に設定される。また、ＡＦ処理の結果、光学レンズ１２はドライバ４４によって合焦位置に設定される。
【００２７】
図５に示すように４人の人物Ｐ１、Ｐ２、Ｐ３、Ｐ４が入った被写界像であれば、図６に示すように４つの顔判別領域で顔情報が検出される。画角中心位置から最も近い顔が検出された顔判別領域の位置は人物Ｐ３の顔を検出した判別領域であるため、図９に示すように、人物Ｐ１の顔を検出した判別領域に相当する領域を領域Ｅ１、人物Ｐ２の顔を検出した判別領域に相当する領域を領域Ｅ２、人物Ｐ３の顔を検出した判別領域に相当する領域を領域Ｅ３、人物Ｐ４の顔を検出した判別領域に相当する領域を領域Ｅ４とすると、指定領域は、人物Ｐ３の顔を検出した判別領域に相当する領域Ｅ３となる。ＡＥ処理は、指定領域となった領域Ｅ３から得られる輝度評価値を重視し、他の領域である領域Ｅ１、Ｅ２、Ｅ４から得られる輝度評価値と共に用いて行う。本実施例では、領域Ｅ３から得られる輝度評価値の寄与度を５０％、領域Ｅ１、Ｅ２、Ｅ３から得られる輝度評価値全体の寄与度を５０％として算出した輝度評価値を用いてＡＥ処理を行う。
【００２８】
シャッタボタン４６Ｓが全押しされると、ＣＰＵ４２は、記録処理を実行するべく、本露光および全画素読み出しをＴＧ／ＳＧ１８に命令し、ＪＰＥＧ圧縮をＪＰＥＧエンコーダ３６に命令する。
【００２９】
なお、領域Ｅ１、Ｅ２、Ｅ３、Ｅ４の位置と大きさは、人物Ｐ１、Ｐ２、Ｐ３、Ｐ４の顔を検出した判別領域の位置と大きさに基づいて設定するが、両者は厳密に同じである必要はない。領域Ｅ１、Ｅ２、Ｅ３、Ｅ４の位置と大きさは、例えば撮像面１４ｆに設定された縦１６個、横１６個、全２５６個の部分領域を組み合わせて設定される。
【００３０】
ＴＧ／ＳＧ１８は、イメージセンサ１４の撮像面１４ｆの本露光と、これによって得られた全ての電荷の読み出しとを実行するべく、複数のタイミング信号をイメージセンサ１４に与える。撮像面１４ｆで生成された生画像信号は、ラスタ走査に従う順序で読み出される。イメージセンサ１４から出力された生画像信号は、ＣＤＳ／ＡＧＣ／ＡＤ回路１６によって相関二重サンプリング、自動ゲイン調整およびＡ／Ｄ変換の一連の処理を施される。信号処理回路２０は、ＣＤＳ／ＡＧＣ／ＡＤ回路１６から出力された生画像データに白バランス調整，色分離，ＹＵＶ変換などの処理を施し、表示画像領域２８ａに格納される画像データよりも解像度の高いＹＵＶ形式の画像データ、ずなわち、イメージセンサ１４の全画素で構成される画像データ、全画素の数は約５００万個であり、縦１９４４画素、横２５９２画素の画像データに変換される。変換された画像データは、メモリ制御回路２６を通してＳＤＲＡＭ２８の非圧縮画像領域２８ｂに書き込まれる。
【００３１】
ＪＰＥＧエンコーダ３６は、非圧縮画像領域２８ｂに格納された画像データをメモリ制御回路２６を通して読み出し、読み出された画像データをＪＰＥＧ方式で圧縮し、そして圧縮画像データつまりＪＰＥＧデータをメモリ制御回路２６を通して圧縮画像領域２８ｃに書き込む。こうして得られたＪＰＥＧデータはその後、ＣＰＵ４２によって読み出され、顔情報が検出されたことによって決定された指定領域の位置を示す位置情報があれば、当該位置情報と共にＩ／Ｆ３８を経てファイル形式で記録媒体４０に記録される。記録媒体４０には複数の画像ファイルが記録可能である。
【００３２】
次に再生動作について説明する。Ｉ／Ｆ３８を介してファイル形式で記録媒体４０に記録されているファイルの１つを選択してＪＰＥＧデータを読み出し、ＳＤＲＡＭ２８の圧縮画像領域２８ｃに書き込む。ＪＰＥＧデコーダ３７は、圧縮画像領域２８ｃに格納されたＪＰＥＧデータをメモリ制御回路２６を通して読み出し、読み出されたＪＰＥＧデータを伸張し、得られた画像データをメモリ制御回路２６を通して非圧縮画像領域２８ｂに書き込む。非圧縮画像領域２８ｂに書き込まれた画像データをメモリ制御回路２６を通して読み出し、読み出された画像データから、当該画像データよりも解像度が低い表示用の画像データを作成し、ＳＤＲＡＭ２８の表示画像領域２８ａに書き込む。
【００３３】
ビデオエンコーダ３０は、表示画像領域２８ａに格納された画像データをメモリ制御回路２６を通して１／３０秒毎に読み出し、読み出された画像データをコンポジットビデオ信号に変換する。この結果、再生画像がＬＣＤモニタ３２に表示される。
【００３４】
記録媒体４０にＪＰＥＧデータと共に上述の位置情報が記録されており読み出し可能であれば、当該位置情報を基に再生ズーム処理の中心位置に設定し、ズーム表示を行う。当該位置情報が得られないＪＰＥＧデータであれば画像の中心を再生ズーム処理の中心位置に設定し、ズーム表示を行う。
【００３５】
ズーム表示は、非圧縮画像領域２８ｂに書き込まれた画像データを、ズーム倍率とズーム中心位置に基づいてズーム処理することによって得られた画像データを表示画像領域２８ａに格納することによって行う。
【００３６】
なお、記録媒体４０に記録されている当該位置情報は、表示画像領域２８ａに格納された画像データ上の画素数で表わした位置情報であるため、再生の際は、ＳＤＲＡＭ２８の非圧縮画像領域２８ｂに書き込まれた画像データ上の画素数で表わす位置情報に換算して再生ズーム処理に用いられる。表示画像領域２８ａは、縦２４０画素、横３２０画素の画像データからなっている。ＪＰＥＧデータを再生することによってＳＤＲＡＭ２８の非圧縮画像領域２８ｂに書き込まれた画像データが、縦１９４４画素、横２５９２画素であれば、１９４４を２４０で除算した値である「８.１」を表示画像領域２８ａに書き込まれた画像データの縦位置を表わす値に乗算し、２５９２を３２０で除算した値である「８.１」を表示画像領域２８ａに書き込まれた画像データの横位置を表わす値に乗算しすることによって、記録媒体４０に記録されている当該位置情報を、ＪＰＥＧデータを再生することによってＳＤＲＡＭ２８の非圧縮画像領域２８ｂに書き込まれた画像データ上での位置を示す位置情報に換算して再生ズーム処理に用いる。
【００３７】
なお、当該位置情報を再生ズーム処理の中心位置に設定した場合、当該中心位置を表示するべく、キャラクタデータをＬＣＤモニタ３２に与える。キャラクタＣ４は、たとえば図１０に示す要領で再生画像に多重表示される。キャラクタＣ４は設定された中心位置を示すものであるが、ＪＰＥＧデータに対応した位置情報を基に再生ズーム処理の中心位置が設定されたことを示すキャラクタデータをＬＣＤモニタ３２に与え、キャラクタＣ５を図１１に示す要領で再生画像に多重表示してもよく、さらに、このようなキャラクタＣ４やキャラクタＣ５の表示はしなくてもよい。
【００３８】
仮に、記録媒体４０から読み出したＪＰＥＧデータに付随した位置情報によって再生ズーム処理の中心が設定されなければ、図１２の（Ａ）から（Ｂ）（Ｃ）に示すように、画像の中心がズーム処理の中心位置となり拡大表示されるので、拡大表示操作の後に中心位置を変更する必要が生じるが、同じ再生画像であっても、当該位置情報によって再生ズーム処理の中心が設定されると、図１３の（Ａ）から（Ｂ）（Ｃ）に示すように、当該位置情報に対応した位置が中心位置となり拡大表示されるので、より簡単に撮影時にディジタルカメラ１０が注目した位置に応じて拡大再生することができる。
【００３９】
ＣＰＵ４２は、撮影動作時、図１４、図１５に示す撮影メインタスクと図１６、図１７に示す顔検出タスクとを含む複数のタスクを並列的に実行する。なお、これらのタスクに対応する制御プログラムは、フラッシュメモリ４８に記憶されている。
【００４０】
まず図１４を参照して、ステップＳ１では顔検出タスクを起動し、ステップＳ３ではスルー画像処理を実行する。ステップＳ１の処理によって図１６、図１７に示す顔検出タスクの処理が開始される。ステップＳ３の処理によって、スルー画像がＬＣＤモニタ３２に表示される。
【００４１】
ステップＳ５では、キー入力装置４６からキー状態信号を取り込む。ステップＳ７ではシャッタボタン４６Ｓが半押しされたか否かを判別し、ＮＯであれば、ステップＳ９でスルー画像用ＡＥ／ＡＦ処理を実行してからステップＳ５に戻る。
【００４２】
ステップＳ９で示したスルー画像用ＡＥ／ＡＦ処理は図１５に示すフローチャートに従って行われる。ステップＳ９１１で後で述べる顔探索処理によって顔が検出されたことを示す顔検出フラグの値が１であるか否かを判別し、ＹＥＳであれば、ステップＳ９１３で顔情報を用いて指定領域の決定を行う。指定領域は、検出された顔情報が１つであれば顔判別処理において当該顔が検出された時の顔判別領域の中心位置に、複数の顔が検出されている場合は、画角中心位置から最も近い顔が検出された時の顔判別領域の中心位置に設定する。
【００４３】
そして、ステップＳ９１５で指定領域を示すキャラクタ表示（キャラクタＣ２の表示）を行い、ステップＳ９１７で指定領域を重視するＡＥ処理を行い、ステップＳ９１９で指定領域を基準とするＡＦ処理を行い、上階層のルーチンに復帰する。
【００４４】
ＡＥ処理は、指定領域から得られる輝度評価値を重視し、他の顔判別領域に相当する領域から得られる輝度評価値を共に用いて行う。
【００４５】
一方、ステップＳ９１１でＮＯであれば、ステップＳ９２３で被写界像の中央領域を重視するＡＥ処理を行い、ステップＳ９２５で被写界像の中央領域を基準とするＡＦ処理を行い、上階層のルーチンに復帰する。
【００４６】
なお、ステップＳ９で示したスルー画像用ＡＥ／ＡＦ処理としては、顔探索処理によって顔が検出されたか否かに係らず、簡易なＡＥ／ＡＦ処理として、被写界像の中央領域を重視するＡＥ処理と、被写界像の中央領域を基準とするＡＦ処理を行うようにしてもよい。
【００４７】
図１４に戻って説明を続ける。ステップＳ７でＹＥＳであれば、ステップＳ１１で顔探索処理によって顔が検出されたことを示す顔検出フラグの値が１であるか否かを判別し、ＹＥＳであれば、ステップＳ１３で顔情報を用いて指定領域の決定を行う。指定領域は、検出された顔情報が１つであれば顔判別処理において当該顔が検出された時の顔判別領域の位置に、複数の顔が検出されている場合は、顔判別処理において画角中心位置から最も近い顔が検出された時の顔判別領域の位置に設定する。
【００４８】
そして、ステップＳ１５で指定領域を示すキャラクタ表示（キャラクタＣ３の表示）を行い、ステップＳ１７で指定領域を重視するＡＥ処理を行い、ステップＳ１９で指定領域を基準とするＡＦ処理を行い、ステップＳ２１に進む。
【００４９】
ＡＥ処理は、指定領域となった顔判別領域から得られる輝度評価値を重視し、他の顔判別領域から得られる輝度評価値と共に用いて行う。例えば、図５に示すように４人の人物Ｐ１、Ｐ２、Ｐ３、Ｐ４が入った被写界像であれば、図６に示すように４つの顔判別領域で顔情報が検出される。画角中心位置から最も近い顔が検出された顔判別領域の位置は人物Ｐ３の顔を検出した判別領域であるため、図９に示すように、人物Ｐ１の顔を検出した判別領域に相当する領域を領域Ｅ１、人物Ｐ２の顔を検出した判別領域に相当する領域を領域Ｅ２、人物Ｐ３の顔を検出した判別領域に相当する領域を領域Ｅ３、人物Ｐ４の顔を検出した判別領域に相当する領域を領域Ｅ４とすると、指定領域は、人物Ｐ３の顔を検出した判別領域に相当する領域Ｅ３となる。そして、領域Ｅ３から得られる輝度評価値の寄与度を５０％、領域Ｅ１、Ｅ２、Ｅ３から得られる輝度評価値全体の寄与度を５０％として算出した輝度評価値を用いてＡＥ処理を行う。
【００５０】
一方、ステップＳ１１でＮＯであれば、ステップＳ２３で被写界像の中央領域を重視するＡＥ処理を行い、ステップＳ２５で被写界像の中央領域を基準とするＡＦ処理を行い、ステップＳ２１に進む。
【００５１】
ステップＳ２１では、ステップＳ５と同様にキー入力装置４６からキー状態信号を取り込む。
【００５２】
ステップＳ２７ではシャッタボタン４６Ｓが半押しされた状態か否かを判別し、ＹＥＳであれば、ステップＳ２１に戻る。よって、シャッタボタン４６Ｓの半押しが継続された状態では、ステップＳ１５によるキャラクタ表示やステップＳ１７、Ｓ１９、又はステップＳ２３、Ｓ２５による撮影条件の調整値が固定される。
【００５３】
ステップＳ２７でＮＯであれば、ステップＳ２９でシャッタボタン４６Ｓが全押しされたか否かを判別し、ＹＥＳであれば、ステップＳ３１で記録処理を実行し、終了する。ステップＳ２９でＮＯであれば、シャッタボタン４６ｓが全押しされることなく半押し状態が解除されたと判断し、ステップＳ１５で表示した指定領域を示すキャラクタを消去するステップＳ３３を実行しステップＳ９に進む。
【００５４】
ステップＳ３１の処理によって、シャッタボタン４６ｓが操作された時点の被写界像を表すＪＰＥＧデータがファイル形式で記録媒体４０に記録される。詳細は後で説明する。
【００５５】
次に顔検出タスクについて説明する。図１６を参照して、ステップＳ４１では顔情報を初期化し、顔情報が全く得られていない状態に設定する。垂直同期信号Ｖｓｙｎｃが発生するとステップＳ４３でＹＥＳと判断し、ステップＳ４５で顔探索処理を実行し、ステップＳ４７では顔探索処理によって顔が検出されたことを示す顔検出フラグの値が１であるか否かを判別する。ＹＥＳすなわち値が１で顔検出フラグの値が顔探索処理によって顔が検出された値を示していれば、顔情報に応じてキャラクタＣ１を表示し、ＮＯであれば当該キャラクタＣ１を非表示とし、ステップＳ４３に戻る。キャラクタＣ１は、図５に示すような４人の人物Ｐ１、Ｐ２、Ｐ３、Ｐ４が写った被写界像であれば、図６に示す要領でスルー画像に多重表示される。
【００５６】
ステップＳ４５として示した顔探索処理は、図１７に示すサブルーチンに従って実行される。まずステップＳ６１で顔判別領域の設定を初期化する。これによって、最大サイズの顔判別領域が表示画像領域２８ａに設定された探索領域の左上に配置される。顔判別領域は、顔判別領域の左上座標が探索領域の左上座標と一致するように、図２に示す表示画像エリア２８ａ上に設定される。
ステップＳ６３では、顔探索処理において、顔が検出されたことを示す顔検出フラグの値を、顔が検出されていないことを示す値である「０」に初期化する。
【００５７】
ステップＳ６５では設定された顔判別領域の特徴量を検出し、ステップＳ６７では検出された特徴量を辞書の特徴量と比較する。ステップＳ６９では、顔判別領域に属する部分画像が顔画像であるか否かをステップＳ６７の照合結果に基づいて判別する。
【００５８】
ステップＳ６９でＹＥＳであれば、ステップＳ７１で顔情報を更新する。顔情報には、図１８に示すように、顔画像であると判別された際の顔判別領域の中心の位置、サイズ、及び信頼度が含まれている。そして、ステップＳ７３で顔検出フラッグの値を１に設定し、ステップＳ７５に進む。信頼度とは、顔判別領域に属する部分画像の特徴量と、フラッシュメモリ４８に記憶された辞書の特徴量との照合処理において両者が一致する割合を示すのもであり、一致する割合が高いと、顔と判別した信頼度が大きくなる。
【００５９】
ステップＳ６９でＮＯであればステップＳ７１、Ｓ７３は行わずステップＳ７５に進む。ステップＳ７５では、顔判別領域の右下座標が探索領域の右下座標と一致するか否かを判別する。ここでＮＯであれば、ステップＳ７７で顔判別領域をラスタ方向に既定量だけ移動させ、ステップＳ６５に戻る。
【００６０】
ステップＳ７５でＹＥＳであれば、顔判別領域のサイズが“最小”であるか否かをステップＳ７９で判別する。顔判別領域のサイズが“最小”であれば、探索領域からの顔画像の探索が終了したとして上階層のルーチンに復帰する。顔判別領域のサイズが“最大”または“ミドル”であれば、ステップＳ８１で顔判別領域のサイズを１ステップ縮小し、ステップＳ８３で顔判別領域を探索領域の左上に配置し、その後にステップＳ６５に戻る。
【００６１】
図１４に戻り、ステップＳ３１について説明する。ステップＳ３１の処理によって、シャッタボタン４６ｓが操作された時点の被写界像を表すＪＰＥＧデータが図１９に示すファイル形式で記録媒体４０に記録される。即ち、ヘッダーデータとしてＪＰＥＧデータの画素数と、ステップＳ１３で設定された指定領域の位置を示す位置情報があれば、当該位置情報を付加し、１つのファイルとして記録媒体４０に記録される。
【００６２】
なお、図６〜図７に示されたキャラクタＣ１、Ｃ２、Ｃ３は一例であって、色、柄、太さ、厳密な大きさ、枠内の透過度、等は自由に設定可能である。また、キャラクタＣ３の表示を、キャラクタＣ２の色、柄、太さ、枠内の透過度の何れか１つを変更することによって代用することも可能である。
【００６３】
ＣＰＵ４２は、再生動作時、図２０に示す再生タスクを実行する。なお、再生タスクに対応する制御プログラムは、撮影動作時に実行されるタスクに対応する制御プログラムと同様に、フラッシュメモリ４８に記憶されている。
【００６４】
ステップＳ１０１では、再生するファイルを選択する。ステップＳ１０３では、選択されたファイル内のＪＰＥＧデータを用いて表示画像を作成しＬＣＤモニタ３２に表示する。具体的には、Ｉ／Ｆ３８を介してファイル形式で記録媒体４０に記録されているＪＰＥＧデータの１つを選択して読み出し、ＳＤＲＡＭ２８の圧縮画像領域２８ｃに書き込む。ＪＰＥＧデコーダ３７は、圧縮画像領域２８ｃに格納されたＪＰＥＧデータをメモリ制御回路２６を通して読み出し、読み出されたＪＰＥＧデータを伸張し、得られた画像データをメモリ制御回路２６を通して非圧縮画像領域２８ｂに書き込む。非圧縮画像領域２８ｂに書き込まれた画像データをメモリ制御回路２６を通して読み出し、読み出された画像データより、当該画像データよりも解像度が低い表示用として用いる画像データを作成し、ＳＤＲＡＭ２８の表示画像領域２８ａに書き込む。  ビデオエンコーダ３０は、表示画像領域２８ａに格納された画像データをメモリ制御回路２６を通して１／３０秒毎に読み出し、読み出された画像データをコンポジットビデオ信号に変換する。この結果、再生画像がＬＣＤモニタ３２に表示される。
【００６５】
ステップＳ１０４では、ＣＰＵ４２が保持しているズーム倍率の値を初期値である１に設定する。
【００６６】
ステップＳ１０５によってＪＰＥＧデータと共に位置情報が記録媒体４０に記録されていることが検出されれば、ステップＳ１０７で追って行われるズーム処理のズーム中心を当該位置情報を用いて設定し、ステップＳ１０９で当該ズーム中心として設定された位置を示すキャラクタを表示し、ステップＳ１１３に進む。
【００６７】
なお、記録媒体４０に記録されている当該位置情報は、表示画像領域２８ａに格納された画像データ上の画素数で表わした位置情報であるため、再生の際は、ＳＤＲＡＭ２８の非圧縮画像領域２８ｂに書き込まれた画像データ上の画素数で表わす位置情報に換算して再生ズーム処理に用いられる。表示画像領域２８ａは、縦２４０画素、横３２０画素の画像データからなっている。ＪＰＥＧデータを再生することによってＳＤＲＡＭ２８の非圧縮画像領域２８ｂに書き込まれた画像データが、縦１９４４画素、横２５９２画素であれば、１９４４を２４０で除算した値である８.１を表示画像領域２８ａに書き込まれた画像データの縦位置を表わす値に乗算し、２５９２を３２０で除算した値である８.１を表示画像領域２８ａに書き込まれた画像データの横位置を表わす値に乗算しすることによって、記録媒体４０に記録されている当該位置情報を、ＪＰＥＧデータを再生することによってＳＤＲＡＭ２８の非圧縮画像領域２８ｂに書き込まれた画像データ上での位置を示す位置情報に換算して用いる。
【００６８】
また、ステップＳ１０９によるキャラクタ表示はしなくてもよく、又、表示されるキャラクタは所定時間表示後、又はその後に何らかの操作が行われた時点で非表示としてもよい。
【００６９】
一方、ステップＳ１０５でＮＯであれば、ステップＳ１１１で追って行われるズーム処理のズーム中心を非圧縮画像領域２８ｂに書き込まれた画像データの中央に設定し、ステップＳ１１３に進む。
【００７０】
ステップＳ１１３では、キー入力装置４６からキー状態信号を取り込み、ステップＳ１１５でテレボタン４６Ｔが押され拡大操作が行われたか否か、ステップＳ１１７でワイドボタン４６Ｗが押され縮小操作が行われたか否か、ステップＳ１１９で位置変更ボタン４６Ｓが押されズーム中心位置の変更操作が行われたか否か、ステップＳ１２１で送りボタン４６Ｆ、又は戻りボタン４６Ｂが押されファイルの選択操作が行われたか否かを判別する。
【００７１】
ステップＳ１１５でＹＥＳであれば、ステップＳ１２３でズーム倍率の値が最大値であるか否かを検出し、ＹＥＳであれば何もせずＳ１１３に戻るが、ＮＯであればステップＳ１２５でズーム倍率の値を所定量増加させ、ステップＳ１２７で、更新されたズーム倍率とズーム中心位置を基に非圧縮画像領域２８ｂに書き込まれた画像データの拡大処理を行い、表示画像領域２８ａに格納されている画像データを更新することによってＬＣＤモニタ３２に表示される画像を拡大し、ステップＳ１１３に戻る。
【００７２】
ステップＳ１１７でＹＥＳであれば、ステップＳ１２９でズーム倍率の値が初期値である１であるか否かを検出し、ＹＥＳであればステップＳ１３５でマルチ画面表示を行いＳ１１３に戻る。ステップＳ１２９でＮＯであればステップＳ１３１でズーム倍率の値を所定量減少させ、ステップＳ１３１で、更新されたズーム倍率とズーム中心位置を基に非圧縮画像領域２８ｂに書き込まれた画像データの縮小処理を行い、表示画像領域２８ａに格納されている画像データを更新することによってＬＣＤモニタ３２に表示される画像を縮小し、ステップＳ１１３に戻る。
【００７３】
ステップＳ１３５で示したマルチ画面表示は、図２１に示すフローチャートに従って行われる。ステップＳ１３５１によってＪＰＥＧデータと共に位置情報が記録媒体４０に記録されていることが検出されれば、ステップＳ１３５３によって、当該位置情報に応じて非圧縮画像領域２８ｂに書き込まれた画像データのトリミング処理と縮小処理を行った画像データをマルチ画面の１つとして表示し、ステップＳ１３５１でＮＯであれば、非圧縮画像領域２８ｂに書き込まれた画像データ全体の縮小処理を行った画像データをマルチ画面の１つとして表示し、上階層のルーチンに復帰する。
【００７４】
たとえば、図５に示すように４人の人物Ｐ１、Ｐ２、Ｐ３、Ｐ４が写った画像であれば、ステップＳ１３５３を実行した結果得られるマルチ表示は図２２に示すようになり、ステップＳ１３５５を実行した結果得られるマルチ画面表示は図２３に示すようになる。ステップＳ１３５３を実行した結果得られるマルチ表示の方が、重要な部分を含む画像の一部のみがマルチ画面表示されるので、画像の選択がしやすくなる。なお、マルチ画面表示の分割数は４に限るものではなく、ステップＳ１３５によってマルチ画面表示に変更された際に、それまでに表示されていた画像と他の領域に表示される画像との相対位置は、デジタルカメラとして任意に設定される。他の領域に表示される画像は、記録媒体４０に記録されている別ファイルより得られる。なお、説明は割愛したが、ファイルには本画像であるＪＰＥＧデータの他に、それよりも解像度（画素数）の小さいサムネイル画像データが含まれている。よって、当該サムネイル画像データをマルチ画面表示に使用する画像データとしてもよい。その際、ステップＳ１３５３で使用する位置情報は、サムネイル画像データの画素数に応じて適宜変換して用いることになる。
【００７５】
図２０に戻って説明を続ける。ステップＳ１１９でＹＥＳであれば、ステップＳ１３７で非圧縮画像領域２８ｂに書き込まれた画像データを処理し表示画像領域２８ａに格納されている画像データをズーム中心位置を変更した画像データに更新することによってＬＣＤモニタ３２に表示される拡大画像の中心位置を更新しステップＳ１１３に戻る。
【００７６】
ステップＳ１２１でＹＥＳであれば、ステップＳ１０１に戻り再生の対象とするファイルを変更し、ＮＯであればステップＳ１１３に戻る。
【００７７】
第１の実施例によれば、仮に、記録媒体４０から読み出したＪＰＥＧデータに付随した位置情報によって再生ズーム処理の中心が設定されなければ、図１２の（Ａ）から（Ｂ）（Ｃ）に示すように、画像の中心がズーム処理の中心位置となり拡大表示されるので、拡大表示操作の後に中心位置を変更する必要が生じるが、同じ再生画像であっても、当該位置情報によって再生ズーム処理の中心が設定されると、図１３の（Ａ）から（Ｂ）（Ｃ）に示すように、当該位置情報に対応した位置が中心位置となり拡大表示されるので、より簡単に撮影時にディジタルカメラ１０が注目した位置に応じて拡大再生することができる。
【００７８】
なお、第１の実施例における指定領域は、検出された顔情報が１つであれば顔判別処理において当該顔が検出された時の顔判別領域の中心位置に、複数の顔が検出されている場合は、画角中心位置から最も近い顔が検出された時の顔判別領域の中心位置に設定しているが、指定領域の指定、すなわち、撮像手段によって生成される被写界像内の特定位置を指定方法はこれに限らない。複数の顔が検出されている場合、例えば、最も大きな顔が検出された時の顔判別領域の中心位置に設定したり、信頼度が最も大きく顔が検出された時の顔判別領域の中心位置に設定したりするようにしてもよい。図５に示すように４人の人物Ｐ１、Ｐ２、Ｐ３、Ｐ４が入った被写界像であり、顔検出の結果、図６に示すように検出されたとすると、最も大きな顔が検出された時の顔判別領域の中心位置に設定すると、人物Ｐ４の顔の位置が設定され、信頼度が最も大きく顔が検出された時の顔判別領域の中心位置に設定すると、正面を向いている人物Ｐ１の顔の位置が設定される。
【００７９】
また、第１の実施例における顔検出は複数個の顔を検出することを可能としているが、検出処理の途中で１つでも顔画像が発見されると顔検出処理を終了し、当該検出結果に基づいて指定領域を決定するようにしてもよい。この場合、特徴量の照合処理および顔判別領域の移動処理は、サイズの大きい順に最大サイズ、ミドルサイズ、最小サイズの３つの顔判別領域を順次用いて実行されるので、被写界の中で大きな顔を優先して検出することになる。
【００８０】
次に、図２４を参照して、本発明の第２実施例について説明する。本発明の第２実施例である画像再生装置は１００は、本発明の第１実施例であるディジタルカメラ１０によって得られるような、被写界像内の特定位置を示す位置情報と当該被写界像と共に記録された記録媒体から被写界像を再生するものである。
【００８１】
Ｉ／Ｆ１３８を介してファイル形式で記録媒体１４０に記録されているＪＰＥＧデータの１つを選択して読み出し、ＳＤＲＡＭ１２８の圧縮画像領域１２８ｃに書き込む。ＪＰＥＧデコーダ１３７は、圧縮画像領域１２８ｃに格納されたＪＰＥＧデータをメモリ制御回路１２６を通して読み出し、読み出されたＪＰＥＧデータを伸張し、得られた画像データをメモリ制御回路１２６を通して非圧縮画像領域１２８ｂに書き込む。非圧縮画像領域１２８ｂに書き込まれた画像データをメモリ制御回路１２６を通して読み出し、読み出された画像データより、当該画像データよりも解像度が低い表示用画像データを作成し、ＳＤＲＡＭ１２８の表示画像領域１２８ａに書き込む。
【００８２】
ビデオエンコーダ１３０は、表示画像領域１２８ａに格納された画像データをメモリ制御回路１２６を通して１／３０秒毎に読み出し、読み出された画像データをコンポジットビデオ信号に変換する。この結果、再生画像がＬＣＤモニタ１３２に表示される。
【００８３】
記録媒体１４０にＪＰＥＧデータに撮影時に指定した位置の位置情報が記録されており読み出し可能であれば、当該位置情報を基に再生ズーム処理の中心位置に設定し、ズーム表示を行う。当該位置情報が得られないＪＰＥＧデータであれば画像の中心を再生ズーム処理の中心位置に設定し、ズーム表示を行う。
なお、当該位置情報は、第１の実施例とは異なり、ＪＰＥＧデータの画素数に応じた値を有する位置情報であり、第１の実施例のように、値を換算する必要はない。
【００８４】
ズーム表示は非圧縮画像領域１２８ｂに書き込まれた画像データを、ズーム倍率とズーム中心位置に基づいてズーム処理することによって得られた画像データを表示画像領域２８ａに格納することによって行う。
【００８５】
なお、当該位置情報を再生ズーム処理の中心位置に設定した場合、指定領域を表示するべく、キャラクタジェネレータ１３４はキャラクタデータをＬＣＤモニタ３２に与える。このようなキャラクタ表示を省略してもよい。
【００８６】
ＣＰＵ１４２は、再生動作時、図２４に示す再生動作を実行する。なお、再生動作を実行する制御プログラムは、フラッシュメモリ１４８に記憶されている。  ステップＳ２０１では、再生するファイルを選択する。ステップＳ２０３では、選択されたファイル内のＪＰＥＧデータを用いて表示画像を作成しＬＣＤモニタ１３２に表示する。具体的には、Ｉ／Ｆ１３８を介してファイル形式で記録媒体１４０に記録されているＪＰＥＧデータの１つを選択して読み出し、ＳＤＲＡＭ１２８の圧縮画像領域１２８ｃに書き込む。ＪＰＥＧデコーダ１３７は、圧縮画像領域１２８ｃに格納されたＪＰＥＧデータをメモリ制御回路１２６を通して読み出し、読み出されたＪＰＥＧデータを伸張し、得られた画像データをメモリ制御回路１２６を通して非圧縮画像領域１２８ｂに書き込む。非圧縮画像領域１２８ｂに書き込まれた画像データをメモリ制御回路２６を通して読み出し、読み出された画像データより、当該画像データよりも解像度が低い表示用として用いる画像データを作成し、ＳＤＲＡＭ１２８の表示画像領域２８ａに書き込む。  ビデオエンコーダ１３０は、表示画像領域１２８ａに格納された画像データをメモリ制御回路１２６を通して１／３０秒毎に読み出し、読み出された画像データをコンポジットビデオ信号に変換する。この結果、再生画像がＬＣＤモニタ１３２に表示される。
【００８７】
ステップＳ２０４では、ＣＰＵ１４２が保持しているズーム倍率の値を初期値である１に設定する。
【００８８】
ステップＳ２０５によってＪＰＥＧデータと共に位置情報が記録媒体１４０に記録されていることが検出されれば、ステップＳ２０７で追って行われるズーム処理のズーム中心を当該位置情報を用いて設定し、ステップＳ２０９で当該ズーム中心として設定された位置を示すキャラクタを表示し、ステップＳ２１３に進む。
【００８９】
なお、ステップＳ２０９によるキャラクタ表示は省略してもよく、又、表示されるキャラクタは所定時間表示後、又はその後に何らかの操作が行われた時点で非表示としてもよい。
【００９０】
一方、ステップＳ２０５でＮＯであれば、ステップＳ２１１で追って行われるズーム処理のズーム中心を非圧縮画像領域１２８ｂに書き込まれた画像データの中央に設定し、ステップＳ２１３に進む。
【００９１】
ステップＳ２１３では、キー入力装置１４６からキー状態信号を取り込み、ステップＳ２１５でテレボタン１４６Ｔが押され拡大操作が行われたか否か、ステップＳ２１７でワイドボタン１４６Ｗが押され縮小操作が行われたか否か、ステップＳ２１９で位置変更ボタン１４６Ｓが押されズーム中心位置の変更操作が行われたか否か、ステップＳ２２１で送りボタン１４６Ｆ、又は戻りボタン１４６Ｂが押されファイルの選択操作が行われたか否かを判別する。
【００９２】
ステップＳ２１５でＹＥＳであれば、ステップＳ２２３でズーム倍率の値が最大値であるか否かを検出し、ＹＥＳであれば何もせずＳ２１３に戻るが、ＮＯであればステップＳ２２５でズーム倍率の値を所定量増加させ、ステップＳ２２７で、更新されたズーム倍率とズーム中心位置を基に非圧縮画像領域１２８ｂに書き込まれた画像データの拡大処理を行い、表示画像領域１２８ａに格納されている画像データを更新することによってＬＣＤモニタ１３２に表示される画像を拡大し、ステップＳ２１３に戻る。
【００９３】
ステップＳ２１７でＹＥＳであれば、ステップＳ２２９でズーム倍率の値が初期値である１であるか否かを検出し、ＹＥＳであれば何もせずＳ２１３に戻るが、ステップＳ２２９でＮＯであればステップＳ２３１でズーム倍率の値を所定量減少させ、ステップＳ２３１で、更新されたズーム倍率とズーム中心位置を基に非圧縮画像領域１２８ｂに書き込まれた画像データの縮小処理を行い、表示画像領域１２８ａに格納されている画像データを更新することによってＬＣＤモニタ１３２に表示される画像を縮小し、ステップＳ２１３に戻る。
【００９４】
ステップＳ２１９でＹＥＳであれば、ステップＳ２３７で、非圧縮画像領域１２８ｂに書き込まれた画像データを処理し表示画像領域１２８ａに格納されている画像データをズーム中心位置を変更した画像データに更新することによって、ＬＣＤモニタ１３２に表示される拡大画像の中心位置を更新しステップＳ１１３に戻る。
【００９５】
ステップＳ２２１でＹＥＳであれば、ステップＳ２０１に戻り再生の対象とするファイルを変更し、ＮＯであればステップＳ２１３に戻る。
【００９６】
本実施例によれば、仮に、記録媒体１４０から読み出したＪＰＥＧデータに付随した位置情報によって再生ズーム処理の中心が設定されなければ、図１２の（Ａ）から（Ｂ）（Ｃ）に示すように、画像の中心がズーム処理の中心位置となり拡大表示されるので、拡大表示操作の後に中心位置を変更する必要が生じるが、同じ再生画像であっても、当該位置情報によって再生ズーム処理の中心が設定されると、図１３の（Ａ）から（Ｂ）（Ｃ）に示すように、当該位置情報に対応した位置が中心位置となり拡大表示されるので、より簡単に撮影時に注目した位置に応じて拡大再生することができる。
【００９７】
以上、本願発明の実施例について説明したが、本願発明は上記実施例に限定されるものではない。
【００９８】
電子カメラとしては、図２６に示すように、１つの被写界像に対し複数個の顔情報の位置、サイズ、信頼度を記録媒体に記録して利用するようにしてもよい。そして、再生時に、どの位置情報を用いて再生するかを選択するようにすればよい。選択に際し、サイズの値や信頼度の大きさに応じて選択する順位や優先度を決めるようにしてもよい。また、サイズの値を用いて、拡大表示のズーム倍率の初期値を決めるようにしてもよい。
特徴画像として顔画像を用いるのではなく、サッカーボールや小動物の画像を特徴画像として探索し、被写界像内の特定位置を指定するようにしてもよい。
特定位置の指定は顔検出等の画像認識処理を用いるのでなく、ＡＦ機能を用いて検出された最も近い被写体の位置、最も遠い被写体の位置、画角中央に最も近い被写体の位置や、撮影時にタッチパネル等のポインティングデバイスで使用者が直接指定した位置としてもよい。
【００９９】
電子カメラ、又は被写界像再生装置において、位置情報を用いた再生としては、拡大再生やトリミング再生に限らず、当該位置情報が示す位置から穴を広げるように被写界像を再生したり、当該位置情報が示す位置を中心に被写界像を回転させながら再生したりするようにしてもよい。
被写界像は圧縮して記録されている必要はなく、非圧縮で記録されていてもよい。
位置情報としては画素数を用いるのではなく、モニタ上での比率（縦方向にＸ％、横方向にＹ％の位置）で特定してもよい。
被写界像は静止画に限らず動画や動画の一部、例えばＭＰＥＧ画像データ内のＩピクチャ（フレーム内符号化画像）であってもよい。
図２６に示すように、１つの被写界像に対し複数個の当該位置情報を、記録媒体に記録して利用するようにしてもよい。再生時に、どの位置情報を用いて再生するかを選択するようにすればよい。再生時に用いる位置情報は１つに限らず、複数の位置情報を用いての再生、例えば複数の位置情報によって囲まれた領域の拡大再生やトリミング再生をするようにしてもよい。
【図面の簡単な説明】
【０１００】
【図１】本発明の第１の実施例であるディジタルカメラを示したブロック図である。
【図２】本発明の第１の実施例の動作を説明する説明図である。
【図３】本発明の第１の実施例の動作を説明する説明図である。
【図４】本発明の第１の実施例の動作を説明する説明図である。
【図５】本発明の実施例の動作を説明する説明図である。
【図６】本発明の第１の実施例の動作を説明する説明図である。
【図７】本発明の第１の実施例の動作を説明する説明図である。
【図８】本発明の第１の実施例の動作を説明する説明図である。
【図９】本発明の第１の実施例の動作を説明する説明図である。
【図１０】本発明の第１の実施例の動作を説明する説明図である。
【図１１】本発明の第１の実施例の動作を説明する説明図である。
【図１２】本発明の効果の説明に用いた説明図である。
【図１３】本発明の実施例の動作を説明する説明図である。
【図１４】本発明の第１の実施例の動作を説明するフローチャートである。
【図１５】本発明の第１の実施例の動作を説明するフローチャートである。
【図１６】本発明の第１の実施例の動作を説明するフローチャートである。
【図１７】本発明の第１の実施例の動作を説明するフローチャートである。
【図１８】本発明の第１の実施例の動作を説明する説明図である。
【図１９】本発明の第１の実施例の動作を説明する説明図である。
【図２０】本発明の第１の実施例の動作を説明するフローチャートである。
【図２１】本発明の第１の実施例の動作を説明するフローチャートである。
【図２２】本発明の第１の実施例の動作を説明する説明図である。
【図２３】本発明の第１の実施例の効果の説明に用いた説明図である。
【図２４】本発明の第２の実施例である画像再生装置を示したブロック図である。
【図２５】本発明の第２の実施例の動作を説明するフローチャートである。
【図２６】本発明の実施例を説明する説明図である。
【符号の説明】
【０１０１】
１０    ディジタルカメラ
１２    光学レンズ
１４    イメージセンサ
２４    ＡＥ／ＡＦ評価回路
２８    ＳＤＲＡＭ
３２    ＬＣＤモニタ
３４    キャラクタジェネレータ
４０    記録媒体
４２    ＣＰＵ
４６    キー入力装置
４８    フラッシュメモリ
１００    画像再生装置
１２８    ＳＤＲＡＭ
１３２    ＬＣＤモニタ
１３４    キャラクタジェネレータ
１４０    記録媒体
１４２    ＣＰＵ
１４６    キー入力装置
１４８    フラッシュメモリ
【図１】
2009044463.tif 000003
【図２】
2009044463.tif 000004
【図３】
2009044463.tif 000005
【図４】
2009044463.tif 000006
【図５】
2009044463.tif 000007
【図６】
2009044463.tif 000008
【図７】
2009044463.tif 000009
【図８】
2009044463.tif 000010
【図９】
2009044463.tif 000011
【図１０】
2009044463.tif 000012
【図１１】
2009044463.tif 000013
【図１２】
2009044463.tif 000014
【図１３】
2009044463.tif 000015
【図１４】
2009044463.tif 000016
【図１５】
2009044463.tif 000017
【図１６】
2009044463.tif 000018
【図１７】
2009044463.tif 000019
【図１８】
2009044463.tif 000020
【図１９】
2009044463.tif 000021
【図２０】
2009044463.tif 000022
【図２１】
2009044463.tif 000023
【図２２】
2009044463.tif 000024
【図２３】
2009044463.tif 000025
【図２４】
2009044463.tif 000026
【図２５】
2009044463.tif 000027
【図２６】
2009044463.tif 000028